(57)【要約】【課題】緊急時に非常放送が可能となるように、常時、スピーカ回線およびスピーカの健全性を監視する手段を有する拡声システムを提供する。【解決手段】拡声システムは、拡声操作時に端末装置より送信され、音声増幅装置でスピーカ駆動レベルまで増幅させられた音声信号によりスピーカから拡声放送する拡声システムにおいて、拡声放送時の上記スピーカの鳴動状態を検出する音声検出用マイクと、各スピーカ回線で送信される音声信号を分岐して上記スピーカヘ送信される音声信号の状態を検出する回線状態検出装置と、上記回線状態検出装置で判定した上記スピーカ回線および上記スピーカの健全性の情報を受信する監視装置と、を備える。【選択図】図１
2011004319.tif 000002
【特許請求の範囲】
【請求項１】
拡声操作時に端末装置より送信され、音声増幅装置でスピーカ駆動レベルまで増幅させられた音声信号によりスピーカから拡声放送する拡声システムにおいて、
拡声放送時の上記スピーカの鳴動状態を検出する音声検出用マイクと、
各スピーカ回線で送信される音声信号を分岐して上記スピーカヘ送信される音声信号の状態を検出する回線状態検出装置と、
上記回線状態検出装置で判定した上記スピーカ回線および上記スピーカの健全性の情報を受信する監視装置と、
を備えることを特徴とする拡声システム。
【請求項２】
拡声操作時に端末装置より送信され、音声増幅装置でスピーカ駆動レベルまで増幅させられた音声信号によりスピーカから拡声放送する拡声システムにおいて、
拡声放送時の上記スピーカのコイルに印加される音声信号を検出する音声信号検出器と、
各スピーカ回線で送信される音声信号を分岐して上記スピーカヘ送信される音声信号の状態を検出する回線状態検出装置と、
上記回線状態検出装置で判定した上記スピーカ回線および上記スピーカの健全性の情報を受信する監視装置と、
を備えることを特徴とする拡声システム。
【請求項３】
拡声操作時に端末装置より送信され、音声増幅装置でスピーカ駆動レベルまで増幅させられた音声信号によりスピーカから拡声放送する拡声システムにおいて、
拡声操作しないときに、音声帯域外の試験信号を定期的に送信する試験信号発振回路と、
各スピーカ回線に直列に介挿させ、上記スピーカヘ送信される音声信号の状態を検出する回線状態検出装置と、
上記回線状態検出装置で判定した上記スピーカ回線の健全性の情報を受信する監視装置と、
を備えることを特徴とする拡声システム。
【請求項４】
拡声操作時に端末装置より送信され、音声増幅装置でスピーカ駆動レベルまで増幅させられた音声信号によりスピーカから拡声放送する拡声システムにおいて、
拡声操作しないときに、音声帯域外の試験信号を定期的に送信する試験信号発振回路と、
試験信号送信時のスピーカ状態を検出する各上記スピーカに取り付けた音声信号検出器と、
各スピーカ回線に直列に介挿させ、スピーカ送信される音声信号の状態を検出する各スピーカ回線に直列に介挿させた回線状態検出装置と、
上記回線状態検出装置で判定した上記スピーカ回線および上記スピーカの健全性の情報を受信する監視装置と、
を備えることを特徴とする拡声システム。
【発明の詳細な説明】
【技術分野】
【０００１】
この発明は、スピーカの入力信号および出力信号を検出して接続されるケーブルおよびスピーカの健全性を個々のスピーカごとに監視する拡声システムに関するものである。
【背景技術】
【０００２】
従来、拡声システムのケーブルおよびスピーカの健全性確認は、確認すべきスピーカ回線およびスピーカの設置された場所に人を配備し、ケーブルについては人手による切離し手段等により、また、スピーカについては音声増幅装置の前段につながるマイクを内蔵した端末装置より音声信号を送信することにより各スピーカより放送される音声信号の状態を騒音計による測定や人の耳にて確認する手段にて行われていた。
そのため、スピーカ回線の状態確認は、接続するスピーカ数が多い拡声システムにおいては、非常に手間と時問の掛かる作業となっていたため、点検作業は毎日ではなく予め設定された期間で実施することが主である。
【先行技術文献】
【特許文献】
【０００３】
【特許文献１】特開２００１−３６９９５号公報
【発明の概要】
【発明が解決しようとする課題】
【０００４】
拡声システムは業務連絡以外に緊急時の非常放送を行うこともあり、スピーカ回線およびスピーカの健全性を監視することは、非常に重要なことであるが、従来のシステム構成および確認方法は人手の関わる部分が多く、毎日は出来ないという問題がある。
【０００５】
この発明の目的は、緊急時に非常放送が可能となるように、常時、スピーカ回線およびスピーカの健全性を監視する手段を有する拡声システムを提供することである。
【課題を解決するための手段】
【０００６】
この発明に係る拡声システムは、拡声操作時に端末装置より送信され、音声増幅装置でスピーカ駆動レベルまで増幅させられた音声信号によりスピーカから拡声放送する拡声システムにおいて、拡声放送時の上記スピーカの鳴動状態を検出する音声検出用マイクと、各スピーカ回線で送信される音声信号を分岐して上記スピーカヘ送信される音声信号の状態を検出する回線状態検出装置と、上記回線状態検出装置で判定した上記スピーカ回線および上記スピーカの健全性の情報を受信する監視装置と、を備える。
【０００７】
この発明に係る拡声システムは、拡声操作時に端末装置より送信され、音声増幅装置でスピーカ駆動レベルまで増幅させられた音声信号によりスピーカから拡声放送する拡声システムにおいて、拡声放送時の上記スピーカのコイルに印加される音声信号を検出する音声信号検出器と、各スピーカ回線で送信される音声信号を分岐して上記スピーカヘ送信される音声信号の状態を検出する回線状態検出装置と、上記回線状態検出装置で判定した上記スピーカ回線および上記スピーカの健全性の情報を受信する監視装置と、を備える。
【０００８】
この発明に係る拡声システムは、拡声操作時に端末装置より送信され、音声増幅装置でスピーカ駆動レベルまで増幅させられた音声信号によりスピーカから拡声放送する拡声システムにおいて、拡声操作しないときに、音声帯域外の試験信号を定期的に送信する試験信号発振回路と、各スピーカ回線に直列に介挿させ、上記スピーカヘ送信される音声信号の状態を検出する回線状態検出装置と、上記回線状態検出装置で判定した上記スピーカ回線の健全性の情報を受信する監視装置と、を備える。
【０００９】
この発明に係る拡声システムは、拡声操作時に端末装置より送信され、音声増幅装置でスピーカ駆動レベルまで増幅させられた音声信号によりスピーカから拡声放送する拡声システムにおいて、拡声操作しないときに、音声帯域外の試験信号を定期的に送信する試験信号発振回路と、試験信号送信時のスピーカ状態を検出する各上記スピーカに取り付けた音声信号検出器と、各スピーカ回線に直列に介挿させ、スピーカ送信される音声信号の状態を検出する各スピーカ回線に直列に介挿させた回線状態検出装置と、上記回線状態検出装置で判定した上記スピーカ回線および上記スピーカの健全性の情報を受信する監視装置と、を備える。
【発明の効果】
【００１０】
この発明に係る拡声システムの効果は、拡声操作時に端末装置より送信され、音声増幅装置でスピーカ駆動レベルまで増幅させられた音声信号によりスピーカから拡声放送する拡声システムにおいて、拡声放送時の上記スピーカの鳴動状態を検出する音声検出用マイクと、各スピーカ回線で送信される音声信号を分岐して上記スピーカヘ送信される音声信号の状態を検出する回線状態検出装置と、上記回線状態検出装置で判定した上記スピーカ回線および上記スピーカの健全性の情報を受信する監視装置と、を備えるので、拡声システム全体の回線状況とスピーカの鳴動監視をすることができる。
【００１１】
この発明に係る拡声システムの効果は、拡声操作時に端末装置より送信され、音声増幅装置でスピーカ駆動レベルまで増幅させられた音声信号によりスピーカから拡声放送する拡声システムにおいて、拡声放送時の上記スピーカのコイルに印加される音声信号を検出する音声信号検出器と、各スピーカ回線で送信される音声信号を分岐して上記スピーカヘ送信される音声信号の状態を検出する回線状態検出装置と、上記回線状態検出装置で判定した上記スピーカ回線および上記スピーカの健全性の情報を受信する監視装置と、を備えるので、拡声システム全体の回線状況とスピーカの状態監視をすることができる。
【００１２】
この発明に係る拡声システムの効果は、拡声操作時に端末装置より送信され、音声増幅装置でスピーカ駆動レベルまで増幅させられた音声信号によりスピーカから拡声放送する拡声システムにおいて、拡声操作しないときに、音声帯域外の試験信号を定期的に送信する試験信号発振回路と、各スピーカ回線に直列に介挿させ、上記スピーカヘ送信される音声信号の状態を検出する回線状態検出装置と、上記回線状態検出装置で判定した上記スピーカ回線の健全性の情報を受信する監視装置と、を備えるので、拡声システム全体の回線状況の状態監視をすることができる。
【００１３】
この発明に係る拡声システムの効果は、拡声操作時に端末装置より送信され、音声増幅装置でスピーカ駆動レベルまで増幅させられた音声信号によりスピーカから拡声放送する拡声システムにおいて、拡声操作しないときに、音声帯域外の試験信号を定期的に送信する試験信号発振回路と、試験信号送信時のスピーカ状態を検出する各上記スピーカに取り付けた音声信号検出器と、各スピーカ回線に直列に介挿させ、スピーカ送信される音声信号の状態を検出する各スピーカ回線に直列に介挿させた回線状態検出装置と、上記回線状態検出装置で判定した上記スピーカ回線および上記スピーカの健全性の情報を受信する監視装置と、を備えるので、拡声システム全体の回線状況とスピーカの状態監視をすることができる。
【図面の簡単な説明】
【００１４】
【図１】この発明の実施の形態１に係る拡声システムの構成図である。
【図２】この発明の実施の形態１に係る拡声システムの機能動作フロー図である。
【図３】この発明の実施の形態２に係る拡声システムの構成図である。
【図４】この発明の実施の形態２に係る拡声システムの機能動作フロー図である。
【図５】この発明の実施の形態３に係る拡声システムの構成図である。
【図６】この発明の実施の形態３に係る拡声システムの機能動作フロー図である。
【図７】この発明の実施の形態４に係る拡声システムの構成図である。
【図８】この発明の実施の形態４に係る拡声システムの機能動作フロー図である。
【発明を実施するための形態】
【００１５】
実施の形態１．
図１は、この発明の実施の形態１に係る拡声システムの構成図である。図２は、実施の形態１に係る拡声システムの機能動作フロー図である。
この発明の実施の形態１に係る拡声システムは、図１に示すように、マイク（ＭＩＣ）を内蔵するとともに拡声操作時に音声信号を送信する端末装置１と、端末装置１より送信された音声信号をスピーカ駆動レベルまでの音声信号に増幅する音声増幅装置２と、スピーカ駆動レベルの音声信号により駆動されるスピーカ３１〜３Ｎと、拡声放送時の各スピーカ３１〜３Ｎの鳴動状態を検出するとともに各スピーカ３１〜３Ｎに取り付けられる音声検出用マイク（Ｍ）４１〜４Ｎと、スピーカ３１〜３Ｎに送信される音声信号の状態を検出するとともに各スピーカ回線７１〜７Ｎに直列に介挿させた回線状態検出装置５１〜５Ｎと、回線状態検出装置５１〜５Ｎ内でスピーカ回線７１〜７Ｎおよびスピーカ３１〜３Ｎの健全性を判定した情報を受信する監視装置６と、を備える。
【００１６】
拡声操作時、音声信号は、端末装置１より送信され、音声増幅装置２でスピーカ駆動レベルまで増幅され、スピーカ回線７１〜７Ｎに出力され、直列に介挿された各回線状態検出装置５１〜５Ｎを経由して各スピーカ３１〜３Ｎへ送信される。
また、端末装置１は、音声信号を送信制御回路（ＣＯＮＴ１）より音声信号送信起動の情報を監視装置６に送信する。
回線状態検出装置５１〜５Ｎ内では交流である音声信号を直流の信号である音声信号に変換し、制御回路（ＣＯＮＴ２）に送信し、制御回路（ＣＯＮＴ２）内で検出したレベルに基づいてスピーカ回線７１〜７Ｎの状態を判別する。
【００１７】
同時に、各スピーカ３１〜３Ｎへ送信された音声信号は、スピーカ３１〜３Ｎより放送音として出力される。各スピーカ３１〜３Ｎに取り付けた音声検出用マイク４１〜４Ｎによりその放送音を検出し音声信号へ変換する。
変換した音声信号を回線状態検出装置５１〜５Ｎへ送信し、交流の音声信号を直流の音声信号に変換し、制御回路（ＣＯＮＴ２）へ送信し、制御回路（ＣＯＮＴ２）内で検出したレベルを基にスピーカ３１〜３Ｎが鳴動したことを判別する。
【００１８】
スピーカ回線７１〜７Ｎおよびスピーカ３１〜３Ｎの健全性を判別した情報と、個々のスピーカ３１〜３Ｎを特定するために予め割付けた管理番号情報とを合わせて監視装置６へ回線状態検出装置５１〜５Ｎ内の制御回路（ＣＯＮＴ２）より送信する。
監視装置６では受信した情報に基づいて回線状況を表示し、管理番号毎にスピーカ回線７１〜７Ｎおよびスピーカ３１〜３Ｎの健全性を判別した情報を表示させ、拡声システム全体の回線状況とスピーカ３１〜３Ｎの鳴動監視をする。
【００１９】
この発明の実施の形態１に係る拡声システムでは、拡声操作時にマイクを内蔵した端末装置１より送信された音声信号が各スピーカ回線７１〜７Ｎに直列に介挿させた回線状態検出装置５１〜５Ｎにて検出し、また同時に、各スピーカ３１〜３Ｎに取り付けた音声検出用マイクにより検出することにより、音声増幅装置２から各スピーカ３１〜３Ｎまでのスピーカ回線７１〜７Ｎおよびスピーカ３１〜３Ｎの健全性を判別でき、その情報を個々のスピーカ３１〜３Ｎを特定するために予め割付けた管理番号情報と合わせて監視装置６へ回線状態を送信するので、拡声システム全体の回線状況とスピーカ３１〜３Ｎの鳴動監視をすることができる。
【００２０】
実施の形態２．
図３は、この発明の実施の形態２に係る拡声システムの構成図である。図４は、実施形態２に係る拡声システムの機能動作フロー図である。
この発明の実施の形態２に係る拡声システムは、図３に示すように、マイク（ＭＩＣ）を内蔵するとともに拡声操作時に音声信号を送信する端末装置１と、端末装置１より送信された音声信号をスピーカ駆動レベルの音声信号に増幅する音声増幅装置２と、スピーカ３１〜３Ｎと、拡声放送時のスピーカ３１〜３Ｎのコイルに印加される励磁信号を検出するとともに各スピーカ３１〜３Ｎに取り付けられた音声信号検出器８１〜８Ｎと、スピーカ３１〜３Ｎに送信される音声信号の状態を検出するとともに各スピーカ回線７１〜７Ｎに直列に介挿させた回線状態検出装置５１〜５Ｎと、回線状態検出装置５１〜５Ｎでスピーカ回線７１〜７Ｎおよびスピーカ３１〜３Ｎの健全性を判定した情報を受信する監視装置６と、を備える。
【００２１】
拡声操作時、音声信号は、端末装置１より送信され、音声増幅装置２でスピーカ駆動レベルまで増幅され、スピーカ回線７１〜７Ｎへ出力され、各回線状態検出装置５１〜５Ｎを経由して各スピーカ３１〜３Ｎへ送信される。
端末装置１は、音声信号を送信すると同時に制御回路（ＣＯＮＴ１）より音声信号送信起動の情報を監視装置６へ送信する。
回線状態検出装置５１〜５Ｎ内では、スピーカ回線７１〜７Ｎを経由して送信される音声信号が分岐され、分岐された交流の音声信号が直流の信号に変換され、制御回路（ＣＯＮＴ２）に送信さえ、制御回路（ＣＯＮＴ２）内でレベルを検出し、検出したレベルに基づいてスピーカ回線７１〜７Ｎの状態を判別する。
【００２２】
同時に各スピーカ３１〜３Ｎへ送信ざれた音声信号はスピーカ３１〜３Ｎより放送音として出力される。各スピーカ３１〜３Ｎに取り付けられた音声信号検出器８１〜８Ｎは、スピーカ３１〜３Ｎのコイルに印加される励磁信号を検出する。
検出した励磁信号を回線状態検出装置５１〜５Ｎへ送信し、交流の励磁信号を直流の信号に変換し、制御回路（ＣＯＮＴ２）に送信し、制御回路（ＣＯＮＴ２）で直流の信号のレベルを検出し、検出したレベルを基にスピーカ３１〜３Ｎが動作したものと判別する。
スピーカ回線７１〜７Ｎおよびスピーカ３１〜３Ｎの健全性を判別した情報と、個々のスピーカ３１〜３Ｎを特定する予め割付けた管理番号情報と、合わせて監視装置６へ回線状態検出装置５１〜５Ｎ内の制御回路（ＣＯＮＴ２）より送信する。
【００２３】
監視装置６では受信した情報を基に回線状況を表示できる機能を有した設備とすることにより、管理番号ごとにスピーカ回線７１〜７Ｎおよびスピーカ３１〜３Ｎの健全性を判別した情報を表示させ、拡声システム全体の回線状況とスピーカ３１〜３Ｎの状態監視をする。
【００２４】
この発明の実施の形態２に係る拡声システムは、拡声操作時にマイクを内蔵した端末装置より送信された音声信号が各スピーカ回線に直列に介挿させた回線状態検出装置にて検出し、また同時に、各スピーカに取り付けた音声信号検出器により検出することにより、音声増幅装置から各スピーカまでのスピーカ回線およびスピーカの健全性を判別でき、その情報を個々のスピーカを特定するために予め割付けた管理番号情報と合わせて監視装置へ回線状態を送信することにより、拡声システム全体の回線状況とスピーカの状態監視をすることができる。
【００２５】
実施の形態３．
図５は、この発明の実施の形態３に係る拡声システムの構成図である。図６は、実施形態３に係る回線状態検出装置の機能動作フロー図である。
この発明の実施の形態３に係る拡声システムは、図５に示すように、拡声操作しないときに、試験信号を送信する音声増幅装置２内の試験信号発振回路（ＯＳＣ、ＡＭＰ）と、各スピーカ回線７１〜７Ｎに直列に介挿させ、スピーカ３１〜３Ｎに送信される音声信号の状態を検出する回線状態検出装置５１〜５Ｎと、回線状態検出装置５１〜５Ｎ内でスピーカ回線７１〜７Ｎの健全性を判定した情報を受信する監視装置６と、を備える。
【００２６】
監視装置６において端末装置１内の制御回路（ＣＯＮＴ１）より送信される音声入力起動信号の検出が任意の時間以上ない時は拡声操作なしと判断し、監視装置６より音声増幅装置２内の制御回路（ＣＯＮＴ３）に回線切替え制御信号を送信し、試験信号発振回路（ＯＳＣ、ＡＭＰ）をスピーカ回線７１〜７Ｎへ接続させ、音声帯域外の試験信号を定期的に任意の周期で送信する。
送信された試験信号は、スピーカ回線７１〜７Ｎを通じて直列に介挿された各回線状態検出装置５１〜５Ｎへ送信される。
【００２７】
回線状態検出装置５１〜５Ｎ内では交流の試験信号を直流の信号に変換し、制御回路（ＣＯＮＴ２）に送信し、制御回路（ＣＯＮＴ２）内で検出したレベルを基にスピーカ回線７１〜７Ｎの状態を判別する。
スピーカ回線７１〜７Ｎの健全性を判別した情報と、個々のスピーカ３１〜３Ｎを特定するために予め割付けた管理番号情報と合わせて監視装置６に回線状態検出装置５１〜５Ｎ内の制御回路（ＣＯＮＴ２）より送信する。
監視装置６では受信した情報を基に回線状況を表示できる機能を有した設備とすることにより、管理番号ごとにスピーカ回線７１〜７Ｎの健全性を判別した情報を表示させ、拡声システム全体の回線状況を監視する。
【００２８】
この発明の実施の形態３に係る拡声システムは、拡声操作しないときに、試験信号発振回路より音声帯域外の試験信号を定期的に任意の周期で送信することによりスピーカ回線に直列に介挿させた回線状態検出装置にてスピーカヘ送信される当該の信号を検出することにより、スピーカ回線の健全性を判別でき、その情報を個々のスピーカを特定するために予め割付けた管理番号情報と合わせて監視装置へ回線状態を送信することにより、拡声システム全体の回線状況の状態監視をすることができる。
【００２９】
実施の形態４．
図７は、この発明の実施の形態４に係る拡声システムの構成図である。図８は、実施の形態４に係る回線状態検出装置の機能動作フロー図である。
この発明の実施の形態４に係る拡声システムは、図７に示すように、拡声操作しないときに、試験信号を送信する音声増幅装置２内の試験信号発振回路（ＯＳＣ、ＡＭＰ）と、試験信号送信時のスピーカ３１〜３Ｎの状態を検出する各スピーカ３１〜３Ｎに取り付けた音声信号検出器８１〜８Ｎと、各スピーカ回線７１〜７Ｎに直列に介挿させ、スピーカ３１〜３Ｎに送信される音声信号の状態を検出する回線状態検出装置５１〜５Ｎと、回線状態検出装置５１〜５Ｎ内でスピーカ回線７１〜７Ｎの健全性を判定した情報を受信する監視装置６と、を備える。
【００３０】
監視装置６において端末装置１内の制御回路（ＣＯＮＴ１）より送信される音声入力起動信号の検出が任意の時間以上ない時は拡声操作なしと判断し、監視装置６より音声増幅装置２内の制御回路（ＣＯＮＴ３）に回線切替え制御信号を送信し、試験信号発振回路（ＯＳＣ、ＡＭＰ）をスピーカ回線７１〜７Ｎに接続し、音声帯域外の試験信号を定期的に任意の周期で送信する。
送信された試験信号は、スピーカ回線７１〜７Ｎを通じて直列に介挿させた各々の回線状態検出装置５１〜５Ｎに送信される。
回線状態検出装置５１〜５Ｎ内では試験信号を交流信号より直流信号へ変換し制御回路（ＣＯＮＴ２）に送信し、制御回路（ＣＯＮＴ２）内で検出したレベルを基にスピーカ回線７１〜７Ｎの状態を判別する。
同時に各スピーカ３１〜３Ｎへ送信された試験信号は音声帯域外のためスピーカ３１〜３Ｎより放送音の出力はなく、各スピーカ３１〜３Ｎに取り付けた音声信号検出器８１〜８Ｎによりスピーカ３１〜３Ｎのコイルに印加される試験信号を検出する。
検出した試験信号を回線状態検出装置５１〜５Ｎに送信し試験信号を交流信号より直流信号へ変換し制御回路（ＣＯＮＴ２）へ送信し、制御回路（ＣＯＮＴ２）内で検出したレベルを基にスピーカ３１〜３Ｎが動作したものと判別する。
スピーカ回線７１〜７Ｎの健全性を判別した情報と、個々のスピーカ３１〜３Ｎを特定するために予め割付けた管理番号情報と合わせて監視装置へ回線状態検出装置５１〜５Ｎ内の制御回路（ＣＯＮＴ２）より送信する。
監視装置では受信した情報を基に回線状況を表示できる機能を有した設備とすることにより、管理番号ごとにスピーカ回線７１〜７Ｎおよびスピーカ３１〜３Ｎの健全性を判別した情報を表示させ、拡声システム全体の回線状況とスピーカ３１〜３Ｎの状態監視をする。
【００３１】
この発明の実施の形態４に係る拡声システムは、拡声操作しないときに、試験信号発振回路より音声帯域外の試験信号を定期的に任意の周期で送信することにより、各スピーカ回線に直列に介挿させた回線状態検出装置にてスピーカヘ送信される当該の信号を検出することにより、スピーカ回線およびスピーカの健全性を判別でき、その情報を個々のスピーカを特定するために予め割付けた管理番号情報と合わせて監視装置へ回線状態を送信することにより、拡声システム全体の回線状況とスピーカの状態監視をすることができる。
【産業上の利用可能性】
【００３２】
工場やプラント内での業務連絡用放送システム、公共施設等の放送システムで利用可能である。
【符号の説明】
【００３３】
１  端末装置、２  音声増幅装置、３１〜３Ｎ  スピーカ、４１〜４Ｎ  音声検出用マイク、５１〜５Ｎ  回線状態検出装置、６  監視装置、７１〜７Ｎ  スピーカ回線、８１〜８Ｎ  音声信号検出器。
【図１】
2011004319.tif 000003
【図２】
2011004319.tif 000004
【図３】
2011004319.tif 000005
【図４】
2011004319.tif 000006
【図５】
2011004319.tif 000007
【図６】
2011004319.tif 000008
【図７】
2011004319.tif 000009
【図８】
2011004319.tif 000010